(57)【特許請求の範囲】
【請求項１】
製品［但し、ディスポーザブル吸収性製品は除く］を皮膚に取り付けるための局所用接着剤であって、
10重量％のスチレン／エチレン−ブチレン／スチレン・ブロック共重合体；
49重量％のパラフィン系鉱油；
40重量％の水素化粘着性樹脂；
0.7重量％のステアリン酸マグネシウム；および
0.3重量％の抗酸化剤
を含む局所用接着剤であって、
前記局所用接着剤は、ミリメーター（mm）で測定された厚さＣを有する層として提供され、
前記局所用接着剤は温度37℃（100°Ｆ）での弾性率Ｇ’37、温度37℃（100°Ｆ）での粘性率Ｇ’’37、および温度25℃（77°Ｆ）での粘性率Ｇ’’25を有し、
前記局所用接着剤は、前記粘性率Ｇ’’25（100rad/sec）と厚さＣとが下記の式を満たすことによって特徴づけられる局所用接着剤：
0004279355.tif 000008
【請求項２】
請求項１に記載の局所用接着剤であって、前記製品が、保護用製品、衣類、人工補装具、加熱ラップ、パッド、及び／又はパック、冷却ラップ、補聴器、保護用フェイスマスク、装飾用品もしくは眼用ウェア、又は化粧用もしくは薬学的デリバリー製品、装飾用化粧品もしくは清浄用製品である機能性製品である、局所用接着剤。
【請求項３】
請求項１または２に記載の局所用接着剤であって、前記ディスポーザブル吸収性製品が、創傷用包帯、生理用ナプキン、パンティライナー、失禁用製品又は脇用汗取りパッドである、局所用接着剤。
【請求項４】
請求項１〜３の何れか１項に記載の局所用接着剤であって、前記局所用接着剤が、連続層として提供される局所用接着剤。
【請求項５】
保護用製品、衣類、人工補装具、加熱ラップ、パッド、及び／又はパック、冷却ラップ、補聴器、保護用フェイスマスク、装飾用品もしくは眼用ウェア、又は化粧用もしくは薬学的デリバリー製品、装飾用化粧品もしくは清浄用製品である機能性製品であって、前記製品は、着用者の皮膚に局所用接着剤により取り付けるための製品であり、前記製品は、皮膚に対して前記取り付けを行なうための請求項１に記載の局所用接着剤を具備した製品。
【請求項６】
保護用製品、衣類、人工補装具、加熱ラップ、パッド、及び／又はパック、冷却ラップ、補聴器、保護用フェイスマスク、装飾用品、眼用ウェアもしくはメーキャップにおける、又は化粧用もしくは薬学的デリバリー製品、装飾用化粧品もしくは清浄用製品である機能性製品における、請求項１に記載の局所用接着剤の使用。
【発明の詳細な説明】
［発明の分野］
本発明は、皮膚に対する取り付けのための局所用接着剤であって、前記接着剤が１つの層として提供される接着剤に関する。特に、本発明は、皮膚に対する取り付けのために、特に、生殖器用、膝用又は肘用プロテクター又は包帯等；ブラジャー、外科手術着、仕立屋での仮縫い中の衣服の一部分等の衣類；鼻用プラスター；乳房置換物又はかつら等の人口補装具；例えば、局所的に痛みを軽減するための、又は単に熱を与えるための加熱用ラップ、パッド及び／又はパック；打撲傷からの痛みを軽減し、且つ腫脹を軽減するために提供される冷却用ラップ；補聴器；保護用フェイスマスク；宝石類、イヤリング、変装、刺青等の装飾用品；眼鏡や他の眼用ウェアー；等の保護用製品の取り付けのために使用され得る前記局所用接着剤に関する。更に、該局所的接着剤は、機能的製品の皮膚への適用に使用することができ、特に機能的製品を取り付けるために、又はそのような製品の機能を改善するために使用することができる。このような状況における機能的製品は、皮膚トリートメント用物質、クリーム、ローション、ホルモン、ビタミン、防臭剤、又は薬剤等の皮膚に対して物質を提供する化粧品又は薬学的デリバリー製品であり；また或いは、化粧品又は薬学的デリバリー製品は、殺虫剤、吸入用薬剤又は香水等を皮膚から発散させるための物質を提供することも可能であり；本発明の接着剤は、また、皮膚に取り付けない機能的製品、しかしながら、例えば、装飾用化粧品（口紅、アイカラー、ステージメーキャップ）又は、清浄用製品（ハンドクリーナー、フェイスマスク、特に毛穴用衛生用クレンザー）等の皮膚における長い滞在時間が要求される製品における構成要素として使用されてもよい。該局所用接着剤は、安定した取り付け、又は増加した維持時間を提供し、且つ適用時の皮膚を心地よくし、更に、取り外し時の不快の原因とならない。これは、局所用接着剤の特性、特に、局所用接着剤の粘性率Ｇ”及び該製品に適用された局所用接着剤の層の厚さＣを選択することにより達成される。
［発明の背景］
皮膚に取付けるための局所用接着剤の分野における一般的な従来技術は、特に、バンドエイド、プラスターおよび包帯の分野で開発されている。しかし、これらの技術は、典型的には、例えば着用者の皮膚に傷が生じて、傷から排泄される体液を吸収することが望まれるような緊急状況で適用される。かかる状況下では、例えば快適さ、容易な使用および適用、痛みのない取り外し、個別性（discreteness）といった吸収体の特性の側面は、滅菌性、治癒支援特性、傷の機械的保護といった基準に比較すると副次的なものに過ぎない。また、このような創傷被覆用の吸収製品の殆どは、吸収体製品が貼着される前に体毛を除去できる皮膚領域、或いは、体毛の成長が少ないか又は全くない皮膚領域に取り付けられる。
本発明は、特に、性器用、膝用又は肘用プロテクター又は包帯類；ブラジャー、外科手術着又は仕立屋での仮縫い中の衣類の一部分等の衣類；鼻用プラスター；乳房置換物又はかつら等の人口補装具；例えば、局所的な痛みを軽減するための、又は単に熱を与えるための加熱用ラップ、パッド及び／又はパック；打撲傷からの痛みを軽減し、且つ腫脹を軽減するために提供される冷却用ラップ；補聴器；保護用フェイスマスク；宝石類、イヤリング、変装、刺青等の装飾用品；眼鏡や他の眼用ウェアー；等の保護用製品に有用な局所用接着剤に関する。そのような製品は、体液の吸収には使用されない。例えば、頭皮へのかつらの取り付けや、肘及び膝用プロテクターの実質的に伸びたり、縮んだりする体のこれらの表面への取り付けは、本発明の接着剤により適切に行われる。
更に、本発明は、特に、皮膚トリートメント用物質、クリーム、ローション、ホルモン、ビタミン、脱臭剤又は薬物等の物質を皮膚に提供する化粧用又は薬学的デリバリー製品等の機能的製品；或いは、化粧用又は薬学的デリバリー製品等は、殺虫剤、吸入用薬剤、又は香水等を皮膚から発散するための物質を提供することも可能であり；更に、本発明の接着剤は、また、皮膚に取り付けない機能的製品、しかしながら、例えば、装飾用化粧品（口紅、アイカラー、ステージメーキャップ）又は、清浄用製品（ハンドクリーナー、フェイスマスク、特に毛穴用衛生用クレンザー）等の皮膚における長い滞在時間が要求される製品における構成要素として使用されてもよい、有用な局所用接着剤に関する。そのような製品は、体液を吸収するためには使用されない。例えば、ビタミンプラスターの皮膚への取り付けや、吸収用薬物放出製品の胸部への取り付けは、本発明の局所用接着剤により適切に行うことが可能である。装飾用化粧品に対する本接着剤の包含により、徐々になくなることに対する抵抗力を増すことが可能になると同時に、移動の問題を生じることもなくなる。
生理用ナプキン及びパンティライナー等の吸収体製品に使用される局所用接着剤は、一般的には、合衆国法定発明登録H1602号またはWO96/33683号に開示されている。接着剤の更に幾らか詳細な記述が、PCT出願WO95/16424号に開示されている。この書類には、生理用ナプキンの着用者側の全周に沿って塗布された局所用接着剤を有する生理用品が開示されている。この書類に開示された発明の基礎をなす問題は、主に皮膚への安全な取付けであるが、このような製品を使用した後に、着用者に過大な痛みを与えずに取り外す問題にも言及している。
WO95/16424号の開示には、局所用接着剤のレオロジー的基準に関する詳細な分析が含まれている。しかし、そこで教示されたレオロジー的基準には、商業的に入手可能な脱毛組成物、例えばLaboratori Vaj S.p.A.がイタリアで販売しているSTREP MIELE（商標名）が含まれているから、この書類は、このような製品の痛みの無い取り外しの問題を少ししか考慮していない。WO95/16424で述べられている局所的取付けのための接着剤には、生理用ナプキンを下着に取り付けるために使用するための現在の感圧接着剤が含まれている。更に、この書類は、静的レオロジー特性のみを特定しており、局所用接着剤の動的レオロジー挙動については何も言及していない。
WO96/13238号には、周波数依存性の局所用接着剤モデルが開示されている。しかし、開示されている全ての測定（例えば第９頁）は、-60℃〜+120℃の温度および0.1〜100rad／sの実際の周波数で行われたものである。塗布温度（約20℃、典型的には浴室、即ち保存温度）で必要なデータを得るために、ウイリアムズ・ランデル・フェリー（Williams-Landel-Ferry；以下ではＷＬＦという）の式が用いられた。
ＷＬＦの式は経験的なものであり、一定の限界内でのみ有効である。例えば、ＷＬＦは、ポリマー接着剤のガラス転移点未満の温度に補外するために使用することができず、また、ガラス転移点未満で得られた値に基づいて使用することはできない。ＷＬＦの式に関する詳細およびその適用の可能性は、John Wiley & Sons発行のZ.TadamorおよびC.G. Gogosによる「ポリマー加工の原理」、またはJohn Wiley & Sons発行のJ.D. Ferryによる「ポリマー類の粘性」に見ることができる。これは既にWO96/13238号から失われているので、開示されたデータの適用可能性を評価することはできない。
ヨーロッパ特許出願EP-638 303号は、カフスを直立に維持するために、生理用ナプキンの側方カフスに局所用接着剤を使用することを開示している。スイス公報CH-643730号は、陰毛成長領域の充分外側に局所用接着剤領域を与えるために、外縁の四つの隅部に局所用接着剤を設けた、面取りされた縁を有する非常に長い生理用ナプキンの使用を開示している。何れの出願も、接着剤組成については何も言及していない。
当該技術における上記の状態に基づいて、本発明の目的は、吸収体製品分野以外の製品、及び／又は機能的製品のための、安定した取り付けと痛みのない皮膚からの取り外しのための局所用接着剤を提供することである。本発明のもう１つの目的は、取り外しに際して、皮膚又は体毛に接着剤の残渣が残らないことを確保することである。
更に、本発明の目的は、局所的な取り付けのための該接着剤が、皮膚温度に対する接着剤の温度差に関わらず、適用中に、冷たい又は別の受け入れ難い温度感の原因にならないことである。
本発明の上記の目的に加えて、当該局所用接着剤は、一般的に皮膚又は身体に有益な化合物、又は組成物のデリバリー／分散のような更なる利益を与えることも望ましい。更に、例えば、通気性であること、又は水蒸気透過性によって、自然の皮膚状態に対して影響を与えない局所用接着剤が好ましい。
［発明の簡単な説明］
本発明は、性器用、膝用又は肘用プロテクター又は包帯類；ブラジャー、外科手術着、仕立屋での仮縫い中の衣類の一部分等の衣類；鼻用プラスター；乳房置換物又はかつら等の人口補装具；例えば、局所的な痛みを軽減するための、又は単に熱を与えるための加熱用ラップ、パッド及び／又はパック；例えば、打撲傷からの痛みを軽減し、且つ腫脹を軽減するために提供される冷却用ラップ；補聴器；保護用フェイスマスク；宝石、イヤリング、変装、刺青等の装飾用品；眼鏡や他の眼用ウェアー；等の保護用製品を皮膚に取り付ける、又は装着するために有用である。そのような製品は、体液非吸収性である。
また、本発明は、機能的製品を皮膚に取り付けるためにも有用であり、また皮膚に装着された場合に、そのような製品の機能を改善するために有用である。機能的背品は、皮膚トリートメント用物質、クリーム、ローション、ホルモン、ビタミン、脱臭剤又は薬物等の物質を皮膚に提供する化粧用又は薬学的デリバリー製品等の機能的製品であり；或いは、化粧用又は薬学的デリバリー製品等は、また、殺虫剤、吸入用薬剤、又は香水等を皮膚から発散するための物質を提供することも可能であり；更に、本発明の接着剤は、また、皮膚に取り付けない機能的製品、しかしながら、例えば、装飾用化粧品（口紅、アイカラー、ステージメーキャップ）又は、清浄用製品（ハンドクリーナー、フェイスマスク、特に毛穴用衛生用クレンザー）等の皮膚における長い滞在時間が要求される製品における構成要素として使用されてもよい、有用な局所用接着剤に関する。そのような製品は、体液を吸収するためには使用されない。該局所用接着剤は、着用者の皮膚に対して該製品を安定して取りつけることが可能であり、且つその製品の機能性をサポートすることを可能にする。この状況における「機能的」の語は、該製品が皮膚に配置された後に、本発明に従う局所用接着剤によりサポートされ、又は改善される追加的機能を実現することを意味する。
該製品は、典型的に着用者側又は身体側表面と、外側表面を有する。該局所用接着剤は、ミリメーター（ｍｍ）で測定される特定の厚さ又はキャリパＣを有する層として提供されることにより、着用者の皮膚に製品を取り付けることを可能にする。
そのような製品を適用してから、該製品を除去するまでに生じる一連の共通の状況を詳しく分析した結果として、望ましい特性上の目的、特に、確実な初期取付け、使用中の確実な取付けおよび最後の痛みのない取り外しを達成するためには、特定の接着剤特性を好ましく満たす必要があることが示された。この関係において考慮された特性は、当該材料の弾性を記述する弾性率、および当該接着剤の粘性を記述する粘性率である。
接着剤の粘性は、当該接着剤が迅速に付着し且つ確実に粘着する能力の指標を表すと解釈することができる。弾性は、当該接着剤の「硬さ」の指標として解釈することができる。その値はまた、良好な初期付着に極めて重要である。それらの組み合わせは、取り外しの際に必要な力の指標と考えられる。弾性率と粘性率との間の関係は、取り外しエネルギーの一部が接着剤内で喪失される指標とみなされ、この喪失部分は、実際の取り外しをトリガーするために利用可能である。
確実な初期および長期の取付け並びに容易／無痛の取り外しを与えるために、局所用接着剤を提供するためには、弾性率および粘性率の間の関係、並びにその動的性質が決定的に重要である。
局所用接着剤は、Ｇ´37の略号で表される37℃（華氏100°）での弾性率、Ｇ′′37の略号で表される37℃（華氏100°）での粘性率、およびＧ′′25の略号で表される25℃（華氏77°）での粘性率を有する。この接着剤は更に、ΔＧ´37（即ち、100rad/secの周波数でのＧ´37と1rad/secの周波数でのＧ´37との差）として定義される動的弾性を有しており、また、ΔＧ′′37（即ち、100rad/secの周波数でのＧ′′37と1rad/secの周波数でのＧ′′37との差）として定義される動的粘性を有している。
本発明による局所用接着剤は、好ましくは下記の条件を満たす。
・Ｇ′37（1rad/sec）は、1500Pa〜20000Pa、
好ましくは1500Pa〜15000Pa、
最も好ましくは3000Pa〜10000Paの範囲である。
・Ｇ′′37（1rad/sec）は、100Pa〜15000Pa、
好ましくは100Pa〜10000Pa、
最も好ましくは300Pa〜5000Paの範囲である。
・Ｇ′37（1rad/sec）／Ｇ′′37（1rad/sec）の比は、３〜30の範囲である。
0004279355.tif 000002
の比は、0.5以上、好ましくは0.7〜３、最も好ましくは１〜1.8の範囲である。
・ΔＧ′37／Ｇ′37（1rad/sec）の比は1.5以下、好ましくは１以下、最も好ましくは0.8以下であるか、
または、ΔＧ′37は10000Pa以下、好ましくは5000Pa未満、最も好ましくは2000Pa未満の何れかであるか、
またはその両方である。
・少なくとも約1rad/sec〜100rad/secの周波数範囲におけるＧ′37／Ｇ′′37の比の値は、好ましくは3.3以上、より好ましくは５以上、最も好ましくは10以上であるべきであるが、この周波数間隔の何処でも約30を超えず、より好ましくは20超えない。
・レオロジー特性は、ガラス転移温度Tgの値とも関連し得るものである。本発明による局所用接着剤については、Tgは、好ましくは-15℃未満であり、より好ましくは-20℃未満であり、最も好ましくは-25℃未満である。
・局所用接着剤のレオロジー特性および許容度は、比熱容量にも関係し得る。好ましくは、局所用接着剤の比熱は4J/g/K未満、より好ましくは3J/g/K未満、最も好ましくは2J/g/K未満である。
・局所用接着剤のレオロジー特性および許容度は、当該接着剤の比熱伝導度にも関係する。好ましくは、この比熱伝導度は可能な限り低く、好ましくは1〜0.1W/m/K、最も好ましくは0.6〜0.1W/m/Kである。しかしながら、例えこれらの範囲が適切な接着剤の選択を可能にしたとしても、加温又は冷却ラップの場合では、そのような製品の機能を維持するために、比較的高い値の加温伝導性を有していることが望ましい。
また、上記のレオロジー的条件が満足されるとすれば、当該接着剤は、例えば充分な凝集性（皮膚への接着剤の残留を防止するため）のような、かかる接着剤の商業的使用にとって重要で且つ当業者に明らかな条件をも満たすであろう。上記の基準を満たす接着剤組成物は、上述した製品の使用中および一般には廃棄後においても、それらが人間または動物の皮膚に使用する共通した安全性の要件をも満たすものであれば、上述した製品のための局所用接着剤として使用することができる。
衛生的な外観および接触の際の快適な感覚に関する基準が重要である場合が多く、例えば、透明または白色で、且つ適用に際して冷感等の不快な感覚を防止する接着剤組成物が好まれる。
上記のレオロジー的基準および他の要件は、45％から、好ましくは51％〜99.5％の20℃で液体である可塑剤化合物または可塑剤組成物と、該可塑剤化合物または可塑剤組成物中で可溶性または膨潤性である0.5〜20％、好ましくは５％〜15％のポリマー化合物またはポリマー組成物と、前記組成物の0〜50重量％、好ましくは前記ポリマー化合物の０〜600重量％の粘着性樹脂とを含有する接着剤組成物によって満たすことができる。前記可塑剤化合物または可塑剤組成物は、好ましくは、水、アルコール（好ましくはグリセロール）、グリコール、ポリグリコール、液体ブテン、オイル、またはこれらの組み合わせからなる群から選択される。前記ポリマー化合物またはポリマー組成物は、好ましくは、ブロックコポリマー／熱可塑性エラストマー、スチレンブロックコポリマーおよび水素化スチレンブロックコポリマー、ポリアクリル樹脂、ポリビニルアルコール、天然ゴムもしくはゼラチン、ポリエチレンオキサイド、ポリビニルピロリドン（PVP）、ポリビニルエーテル、セルロース誘導体、またはこれらの組み合わせからなる群から選択される。
本発明によれば、該局所用接着剤が、例えば、該製品の着用者側表面の少なくとも一部分において、そこにおいて塗布された層のミリメーター（ｍｍ）で測定される厚さ又はキャリパＣと、前記局所用接着剤の約100rad/secでの粘性率G′′25との間の関係は、前記製品を着用者の皮膚に取り付けるために、製品の着用者側表面の少なくとも一部分に使用される前述の局所用接着剤が、着用者の皮膚からの容易且つ痛みの無い取り外しを与える範囲に関連することが発見された。
厚さＣを有する層としてて提供される本発明の局所用接着剤は、粘性率G′′25（100rad/sec）と、厚さＣとが、下記の経験式を満たすものである：
Ｇ′′25≦［（4.26＋Ｃ）・1605］Ｐａ
また、好ましくは下記の経験式を満たすものである。
Ｇ′′25≦［（1.53＋Ｃ）・1724］Ｐａ
［発明の詳細な説明］
局所的接着のための接着剤
本発明の局所用接着剤は、皮膚に直接適用する。特定の適用において、該接着剤は、性器用、膝用又は肘用プロテクター又は包帯類；ブラジャー、外科手術着、仕立屋での仮縫い中の衣類の一部分等の衣服；鼻用プラスター；乳房置換物又はかつら等の人口補装具；例えば、局所的な痛みを軽減するための、又は単に熱を与えるための加熱用ラップ、パッド及び／又はパック；例えば、打撲傷からの痛みを軽減し、且つ腫脹を軽減するために提供される冷却用ラップ；補聴器；保護用フェイスマスク；宝石、イアリング、変装、刺青等の装飾品；眼鏡や他の眼用ウェアー；等の保護用製品において使用することが可能である。
本発明の局所用接着剤は、また、皮膚トリートメント用物質、クリーム、ローション、ホルモン、ビタミン、脱臭剤又は薬物等の物質を皮膚に提供する化粧用又は薬学的デリバリー製品等の機能的製品；或いは、化粧用又は薬学的デリバリー製品等は、殺虫剤、吸入用薬剤、又は香水等を皮膚から発散するための物質を提供することも可能であり；更に、本発明の接着剤は、また、皮膚に取り付けない機能的製品、しかしながら、例えば、装飾用化粧品（口紅、アイカラー、ステージメーキャップ）又は、清浄用製品（ハンドクリーナー、フェイスマスク、特に毛穴用衛生用クレンザー）等の皮膚における長い滞在時間が要求される製品における構成要素として使用されてもよい。
本発明の「皮膚」の語は、ヒト又は動物の皮膚の外側表面に関する。
本発明に従って、皮膚に対して製品を固定すること提供するために、一般的には、皮膚に面する製品の側面に、当該局所用接着剤を有した一定の面積を与える必要がある。
局所用接着剤には、典型的に、当該製品の着用者側表面の基体上に好ましいパターンが、好ましくは連続的した一定の厚さまたはキャリパを有する層として与えられる。該層は、例えば点、螺旋またはストリップ等の形態で、且つ好ましくは連続的な又は不連続な層のパターンが好ましい。
局所用接着剤の物理的特性、レオロジー的特性および接着特性
局所用接着剤は、人間の皮膚、体毛および粘膜組織に対して、感圧接着剤と同様に使用される。しかし、かかる材料を同定する最も特徴的なレオロジー的性質に基づけば、この局所用接着剤組成物を典型的な感圧接着剤（以下ＰＳＡという）とみなすことは殆ど困難であると理解できる。
事実、接着剤分野の当業者に公知のように、物を一時的に接着できる他の物質（例えば、二つのガラス板の間の水）からＰＳＡを区別する最大の特徴は、それらのレオロジー的パラメータ、特に弾性率Ｇ′が、印加される応力の周波数に伴って大きく変化するという事実である。より具体的に言えば、ＰＳＡのＧ′は、印加される応力の周波数が典型的な結合周波数から典型的な脱結合周波数へ、即ち、以下に示すように、1rad/s〜100rad/sへと変化する際に、或るオーダーの大きさに亘って増大し得る。
第一の結論として導かれることは、レオロジー的パラメータ、特に固定値周波数でのＧ′の値を与えることによって、「局所用接着剤」として使用することを意図した材料を定義することは許容されないことである。他の特徴がなければ、それは実際的な価値のない材料を含むであろうから、誤りを生じる可能性がある。従って、レオロジー特性は動的な考察に基づくべきことが必要とされる。
これは弾性率Ｇ′に対してだけでなく、粘性率Ｇ′′についても適用され、従ってtan（δ）＝Ｇ′′／Ｇ′についても適用することができる。典型的なＰＳＡは、考慮された周波数に亘ってＧ′の大きな変化を有するだけでなく、特に脱結合に典型的な周波数において、Ｇ′に近くまたはこれよりも大きくなり得る（即ち、tan（δ）が約１以上になる）ほどの大きなＧ′′の変化も存在することが周知である。
理論に拘束されることを望むものではないが、この事実は微視的には極めて高いレベルの接着力の証拠になる一方で、脱結合のために適用されるエネルギーのかなりの部分が接着剤中に失われること（従って、脱結合を生じるのに有効でない）を意味すると解釈することができる。
上記で示したように、本発明による局所用接着剤として有用な材料は、殆ど37℃の参照温度（人間の通常の体温）および或る周波数範囲で測定されるレオロジー的特徴を有する。局所用接着剤を有するかつら又はビタミンプラスターのような製品の適用に際して、接着性の接触は低周波数で形成される一方、脱接合は製品の取り外し速度で生じることが分かった。この速度は、100rad/sの周波数として表されるのに対して、接着接合を形成する低周波数は1rad/sのオーダーであることが分かった。従って、本発明による使用のための周波数範囲は１〜100rad/sである。
接着剤の結合特性は、ヒトの体温において最も適切に選択されると思われる。本発明による局所用接着剤は皮膚に対して直接使用され、且つ当業者は小さい比熱（例えば、好ましくは４J/g/K未満）を有する接着剤組成物を選択する指向性があるから、局所用接着剤の実際の温度は非常に迅速に37℃にまで達し、または適用の前に人間によって暖められさえするであろう。
結合の良好な条件、即ち約1rad/sの周波数での条件を与えるためには、弾性率の絶対値は高すぎてはならず、さもなければ、接着剤は硬すぎて、それが接着されるべき表面に対して密接に接合またはモールドすることができない。また、頻繁に取り外しと取り付け又は再配置を繰り返す製品の使用に特に価値がある良好な粘着性を得るためには、低い絶対値のＧ′′を有すると共に、該材料が柔らかく且つ皮膚に対して穏やかに接着できることも重要である。
Ｇ′′37（1rad/sec）に対するＧ′37（1rad/sec）の比は、これら２つの値が皮膚への接着に際してバランスすることを保証するために重要である。同時に、Ｇ′37の絶対的な変化は、考慮した周波数範囲内に限定される必要がある。従って、経時的または除去／脱ラミネーション時の不快感を生じることなく、局所用接着剤の確実な取付けを維持するためには、Ｇ′37（1rad/sec）に対するΔＧ′37（即ち、Ｇ′37（100rad/sec）−Ｇ′37（1rad/sec））の比の値を小さく維持しなければならない。これはまた、ΔＧ′37を下記の一定の値に維持することによって絶対的に表現することができる。
重要なこととして、
0004279355.tif 000003
の比が、弾性率および粘性率の両者の動的属性が、確実な接着および無痛かつ容易な除去を与える関係に維持されることを保証するのに充分に大きいことが必要とされる。
最後に、接着剤組成物のガラス転移温度Ｔｇ、比熱、および比熱伝導度が、有用な局所用接着剤のグループをより完全に定義するための有用なパラメータであることを当業者は承認するであろう。
本発明の局所用接着剤について、好ましくは、以下の特性の組が満足されるべきである。
・Ｇ′37（1rad/sec）は、1500Pa〜20000Pa、
好ましくは1500Pa〜15000Pa、
最も好ましくは3000Pa〜10000Paである。
・Ｇ′′37（1rad/sec）は、100Pa〜15000Pa、
好ましくは100Pa〜10000Pa、
最も好ましくは300Pa〜5000Paである。
・Ｇ′37（1rad/sec）／Ｇ′′37（1rad/sec）の比は、3〜30の範囲である。
0004279355.tif 000004
の比は、0.5以上、好ましくは0.7〜3、最も好ましくは1〜1.8である。
・ΔＧ′37／Ｇ′37（1rad/sec）の比は1.5以下、好ましくは１以下、最も好ましくは0.8以下であるか、
または、ΔＧ′37は10000Pa以下、好ましくは5000Pa未満、最も好ましくは2000Pa未満の何れかであるか、
またはその両方である。
・少なくとも1rad/sec〜100rad/secの周波数範囲において、Ｇ′37／Ｇ′′37の比の値は、好ましくは3.3以上、より好ましくは5以上、最も好ましくは10以上であるべきであるが、この周波数間隔の何処においても約30を超えず、より好ましくは20超えない。
・レオロジー特性は、ガラス転移温度Ｔｇの値とも関連し得る。本発明による局所用接着剤について、Ｔｇは、好ましくは-15℃未満であり、より好ましくは-20℃未満であり、最も好ましくは-25℃未満である。
・局所用接着剤のレオロジー特性および許容度は、比熱容量にも関係し得る。好ましくは、局所用接着剤の比熱は4J/g/K未満、より好ましくは3J/g/K、最も好ましくは2J/g/K未満である。
・局所用接着剤のレオロジー特性および許容度は、当該接着剤の比熱伝導度にも関係する。好ましくは、この比熱伝導度は可能な限り低く（高い値がより望まれるエネルギー伝導性製品は除く）、好ましくは１〜0.1W/m/K、最も好ましくは0.6〜0.1W/m/Kである。
局所用接着剤の化学的特性及び組成物の特性
局所用接着剤の上記レオロジー的特性および物理的特性の要件を満たす局所用接着剤組成物を提供するために、下記の処方基準を使用することができる。なお、局所用接着剤として有用な殆どの組成物は実質的にゲル様の構造を有し、好ましくはゲルであることに留意すべきである。これは、次の事実から導かれる：
・主要な成分は室温で実質的に液体の可塑剤である。
・巨大分子またはポリマー成分は、可塑剤に対する少量成分として存在する。好ましい実施例において、それは分子間の物理的または化学的結合によって生じた３次元ネットワークを形成する。特に有用な物理的結合は、ブロック熱可塑性エラストマー（Block Thermoplastic Elastomers）を含有する系に存在するものである。
より具体的には、該組成物は典型的に下記の成分を含有する：
・下記の可塑剤（類）中で可溶性または膨潤性であるような、0.5〜20重量％、好ましくは5％〜15％重量％の、マクロ分子ポリマー物質または係る物質の混合物。非限定的な例として、このようなマクロ分子またはポリマー物質は、天然物および／または合成物、例えば天然ゴムおよびゼラチン、それらの誘導体、並びにアルギン酸；ポリアクリル酸類；ポリビニルアルコール；ポリエチレンオキシド；ポリビニルピロリドン（PVP）若しくはポリビニルエーテル、それらの共重合体および誘導体；セルロース誘導体；ブロック共重合体熱可塑性エラストマー、好ましくはスチレンブロック共重合体、より好ましくは水素化等級のスチロール／エチレン-ブチレン／スチロール（SEBS）、スチレン／イソプレン／スチレン（SIS）およびスチロール／エチレン-プロピレン／スチロール（SEPS）であることができる。
・45〜99.5重量％、好ましくは51〜99.5重量％の、室温で液体である可塑剤物質または可塑化剤物質の混合物。非限定的な例として、これらの可塑化剤は、水、種々のアルコール（特にグリセロール）、グリコールおよびそのエーテル、ポリグリコール、液体ポリブテン、フタレート、アジペート、ステアレート、パルミテート、セバケートまたはミリステートのようなエステル、植物油、鉱油またそれらの組み合わせのような天然油もしくは合成油であることができる。
・組成物の0〜50重量％、好ましくは0〜600重量％の、マクロ分子ポリマー物質の粘着樹脂（その主な目的は、特に合成ポリマーに基づく系のＴｇを調整することである）。
・0〜10重量％、より好ましくは0〜5重量％の、親水性または疎水性の液状可塑剤のゲルおよびゲル形成プロセスを促進および安定化するための物質。これらは、油性系のためのもの、例えばＣ8〜Ｃ22の脂肪酸、それらの金属塩およびポリオキソ誘導体；ラノリン誘導体；シリカ；ベントナイト、モンモリロナイトおよびそれらの誘導体；ポリアミド；ワックスまたはこれらの混合物であることができる。
保存剤、抗酸化剤、抗ＵＶ剤、顔料、ミネラル繊維、レオロジー改良剤等のような当該技術において公知の共通の添加剤もまた、夫々10％以下の量で含有させることができる。
系の中に化学的架橋が形成されるとき、架橋剤は、好ましくは5重量％以下の量で存在させることができる。化学的架橋は、酸性ポリアクリル類と多糖類との間の反応のように、異なった官能基を有するポリマー相互間の中和によっても形成することができる。
得られた局所用接着剤用の組成物は、主成分（通常は液状可塑剤）の性質に従って三つのファミリーに分類することができる。
１）  可塑剤が、典型的には植物または鉱物起源の油またはその混合物であり、ポリマーが、通常はこの油中で可溶性または膨潤性である合成ポリマー、好ましくはエラストマーである疎水性組成物。
２）  疎水性および親水性の両成分が、可塑剤およびポリマーの中で２以上の分離した相を形成している混合相組成物。このような場合、好ましくは、不適合相の間で安易なエマルジョンを形成するのに適したレベルで、乳化剤／表面活性剤が存在する。本発明による典型的な接着剤の場合、好ましくは、疎水性成分の方が親水性成分に対して優勢である。
３）  典型的には、可塑剤が水／グリセロール／グリコール等、および／またはこれらの混合物であり、また、ポリマー相が合成起源（例えばポリアクリル類）または天然起源（例えば天然ゴム）またはそれらの混合物である親水性組成物。
医療分野および従来技術とは異なり、本発明の適用において親水性組成物は好ましくなく、混合相組成物１）および２）が好ましいことが強調される。
このことは、本願において有用であるためには、医療分野で使用される多くの親水性組成物は弾性および粘着性が低すぎるという意味において、部分的には技術的な理由によるものである。
例えば、殆どの機能的製品にとって、相が混成した組成物が好ましい。デリバリー機能を有した機能的製品にとって、デリバリーされるべき該化合物は、異なる速さで局所用接着剤から排出されることが必要であり、例えば、香水は、高値から低値にまで変化するデリバリープロフィールを有してよく、それに対して、薬物は、好ましくは、一定の速度でデリバリーされ、過用量を防がなくてはならない。化粧品は、多くの場合、水性要素と油性要素との組み合わせが最も望ましいように親油性且つ加湿性である。
更にまた、親水性局所用接着剤は、ヒトの皮膚への適用において典型的には予期できないような、冷感及び湿感として知覚される傾向もある。更なる問題は、特に、水を可塑剤として水を具備する局所用接着剤は、それらが、通気性のない容器にシールされない限り、乾燥してしまう傾向があるという事実に帰着する。
局所用接着剤の塗布
本発明の局所用接着剤をミリメーター（mm）で測定することが可能な厚さ又はキャリパＣを有する層として与えることにより使用できる、上述で限定された通りの機能的製品を具備する製品は、当該技術分野の何れかの一般的な手段により、製造することが可能である。このような状況において、該機能的な製品は、また、接着剤が皮膚に対する基体を維持するために提供されること、又は該接着剤が、構成物の位置部分として皮膚に対して直接に提供されることも限定する。第１の場合では、他の接着剤のために一般的に使用される何れかの周知の技術によっても提供され得ることから、そのような製品の皮膚側表面に対する該接着剤の適用は、当業者に対して大きな問題を引き起こすべきではない。この状況において、該局所用接着剤により覆われる製品の皮膚又は着用者側表面の総面積は、製品に使用意図に依存する。該接着剤の節約のために、それは、該製品の着用者側表面の８０％以下、好ましくは３０％から６０％とすべきである。好ましくは、該接着剤は、該製品の周縁部の近くに施すが、しかし、収体性製品を意図していないことから、該製品の中央領域を覆うことも可能である。最も好ましくは、該局所用接着剤は、点のようなの増分面積の小さいパターンで提供される。
局所用接着剤は、例えば、該製品の着用者側の少なくとも一部分において、好ましくは一定した、或いは該局所用接着剤の適用にあずかる該表面に亘り多様化が可能な、厚み又はキャリパＣを有した層として、該製品の着用者側表面の少なくとも一部分において提供される。
もし可能であれば、当該製品は少なくとも水蒸気透過性、好ましくは空気透過性であることにより、通気性を与えられ、蒸れを防止する。通気性は、局所用接着剤によってサポートされなければ、接着剤が塗布されない製品領域に限定されてもよい。
製品に塗布された局所用接着剤は、使用前には保護されるのが好ましい。この保護は、シリコーン処理または表面処理された紙のような剥離性ライナーによって与えられ、選択された局所用接着剤の容易な開放を提供する。
特に、製品を着用者の皮膚に取付けるための局所用接着剤組成物を取り外す段階を考慮すると、取り外すための良好な条件、即ち、着用者の皮膚に前記製品を取り付けるための製品の着用者側表面の少なくとも一部分に塗布された局所用接着剤の約100rad/sec.の周波数は、着用者に痛みを生じさせず、従って、取り外しに際して着用者の皮膚および体毛に強く粘着しすぎずに、該接着剤を皮膚、特に、典型的には製品が身体に接触している場所に生えている体毛から容易に取り外せるときに達成されることが一般的に理解される。更に、良好な取り外しとは、局所用接着剤が皮膚または体毛上に残留しないことを意味する。
本発明によれば、例えば、典型的に、該製品の着用者側表面の少なくとも一部分に提供される典型的な接着剤が、層のミリメーター（mm）で測定される硬さ又はキャリパＣと、25℃および約100rad/secにおける局所用接着剤の粘性係数Ｇ′′25との間の関係が、皮膚からの局所用接着剤の無痛かつ容易な取り外しに関する指標を与える。
理論に拘束されることを望むものではないが、100rad/secでのより高いＧ′′25の値（これは全体として組成物のより高い接着性に対応する）について、取り外しに係るエネルギーを該接着剤の大部分により均等に分配し、従って、皮膚に対してスムースに移り、それにより着用者に対しての痛みの感覚を典型的に引き起こす、エネルギーのピークを避けるために、該接着剤の層のより厚いキャリパ又は厚さＣが必要であると思われる。換言すれば、局所用接着剤の層の厚さが薄ければ、当該製品を取り外す際の痛覚低減を達成するためには、100rad/secでのＧ′′25がより低い接着剤を必要とするのである。
本発明によれば、ミリメーター（mm）として測定される厚さＣを有する層として提供される本発明の局所用接着剤は、該接着剤層の粘性係数Ｇ′′25（100rad/sec）および硬さが下記の経験式を満たすものである；
Ｇ′′25≦［（4.26＋Ｃ）・1605］Ｐａ
また、好ましくは下記の経験式を満たすものである。
Ｇ′′25≦［（1.53＋Ｃ）・1724］Ｐａ
本発明の好ましい態様においては、該接着剤層の厚さＣが一定である一方で、上述したＣ及びＧ′′25の間の関係が如何なる場合にも満足されるのであれば、そのような接着剤層は、それが塗布される該製品の着用者側表面の異なる部分で異なる厚みを有していてもよい。
着用者の皮膚に製品を取り付けるために使用される局所用接着剤の取り外しにおける、本発明の局所用接着剤の粘性係数Ｇ′′25（100rad/sec）とのその関係における該局所用接着剤の厚さＣの効果を評価するために、取り外し痛覚等級試験（Removal Pain Grade Test）が開発された。ここでは、その上に同じ局所用接着剤が異なる厚さを有する層に提供された標準的基体を、感覚パネルメンバーの前腕皮膚に接着し、その後の取り外しの際の痛みを痛覚等級で評価される。
取り外し痛覚等級試験
取り外し痛覚等級試験を利用することにより、局所用接着剤の層を設けて予め着用者の皮膚に取り付けたサンプルを、着用者の皮膚から取り外す際の痛みを評価する。この試験では、商業用の強力な医療用プラスターからなる参照サンプルを取り外すことにより得られた痛みと比較して、各サンプルの取り外しの際の痛みを詳細に評価する。
＜サンプルの調製＞
試験は、Acumeter Model LH-1押し出し機を用いて塗布された厚さを有する連続的な局所接着剤層を一方の側に設けた、23μm厚のポリエステルフィルム（例えば、Effegidi S.p.A of Colorno（Parma,Italy）により販売される）で形成された60×20mmの矩形のサンプルに対して行った。参照サンプルは、ミネソタ・マイニング・アンド・マニュファクチャリング・カンパニー社によって1524号メディカルテープの商標で製造されている医療用両面接着テープの60×20mmのサンプルであり、試験に際しては、二つの接着剤層のうちの一方のみを露出させて、皮膚への接着に使用した。
＜試験方法＞
試験のために、６年生のパネルを選択した。この試験は、温度23℃および相対湿度50％が維持される気候的に制御された実験室で行われる。水および石鹸で清浄化／洗浄し、また試験の少なくとも２時間前に、皮膚と室内条件との間に平衡を達成すること以外は、着用者の皮膚の特別な処理は必要とされない。試験では、参照サンプルＲとの比較において、三つの異なるサンプルＡ、ＢおよびＣを評価する。各サンプルは、手およびオペレータによって、学生の前腕の内側部分に適用され、手首と肘の間の中央に配置され、サンプルの短い方の辺を腕の長さ方向に沿って並べられる。オペレータは、医療用プラスターを皮膚に接着させるために典型的に加えられるのと同じ圧力を、掌で各サンプルに加える。夫々のサンプルを指示された時間だけ着用し、次いで、オペレータが徐々に且つ滑らかに引っ張ることにより、これを学生の皮膚から除去する。
夫々が一つの参照サンプルＲおよび３つのサンプルＡ，Ｂ，Ｃである四つのシリーズを適用し、着用し、次いで着用者の皮膚から除去する。各サンプルは１分間着用し、同じシリーズ内で前後する２つのサンプル間では５分間の間隔を置き、また前後する２つの異なるシリーズ間では15分間の間隔を置く。参照サンプルＲは、常にその夫々のシリーズの最初のサンプルとして適用、着用および除去する。各シリーズにおいて繰り返しは許容されず、また最初の３つのシリーズにおいて順序の繰り返しがないことを条件に、最初の３つのシリーズの夫々におけるサンプルＡ，Ｂ，Ｃの適用／着用／除去の順序はランダムである。４つのサンプルの第４のシリーズでは、サンプルＡ，ＢまたはＣのうちの１つは２回試験され、参照Ｒは常に最初である。
全体に亘る各サンプル（Ａ，Ｂ，ＣおよびＲ）は、同じ回数（下記のスキームに従って24回）だけ試験しなければならない。
実施される試験において、４つのシリーズの順序は、以下のスキームに従う。
0004279355.tif 000005
学生に、0〜10の痛みスケールを使用して、夫々のサンプルＡ，ＢおよびＣを評価するよう依頼した。ここで、０は痛み無しに対応し、10は参照サンプルＲを除去したときの痛みに対応する。
各サンプルＡ，ＢおよびＣについての痛みの値は、24回の観察の平均として得られた。
この試験で得られた結果を、統計分析プログラム「ポピュレーション平均−対にしたサンプルの比較」によって分析した。これによって、サンプルＡ，ＢおよびＣの痛覚値の間の差は統計的に有意であることが示された。
取り外し痛覚等級試験に従い、その上に各々予め決められた厚さの均一層として同じ局所要接着剤組成物が提供されている同じ標準基体により構成される３つの異なるサンプルＡ、Ｂ及びＣについて、取り外し時の痛みを評価した。
局所用接着剤は、10重量％のKraton G-1651（シェル社から入手可能なスチレン／エチレン-ブチレン／スチレン・ブロック共重合体）、49重量％のKaydol（Witco社から入手可能なパラフィン系鉱油）、40重量％のEscorez 5300（エクソン社から入手可能な水素化粘着性樹脂）、0.7重量％のステアリン酸マグネシウム（Carlo Erba S.p.A.から入手可能な油の共ゲル化材）および0.3重量％のIrganox 1010（チバガイギー社から入手可能な抗酸化剤）を含有する油ベースの組成物である。
その結果、処方は最終的に下記の比率の組成を有していた。
Kraton G-1651               10.0重量％
Kaydol                      49.0重量％
Escorez 5300                40.0重量％
ステアリン酸マグネシウム     0.7重量％
Irganox 1010                 0.3重量％
この組成物は、37℃で下記のレオロジー特性を有している。
ａ）１rad/sでの弾性率：Ｇ′37＝7038Pa
ｂ）１rad/sでの粘性率：Ｇ′′37＝487Pa
ｃ）１rad/sでの弾性率と粘性率との比：Ｇ′37／Ｇ′′37＝14.45
0004279355.tif 000006
ｅ）ΔＧ′37＝2051Paで、Ｇ′37（1rad/sec）に対するΔＧ′37の比は0.291である。
この組成物は更に、25℃および約100rad/secで4431Paの粘性率Ｇ″25を有している。
上記３つのサンプルの該接着剤層の厚さおよび夫々の痛み等級を、下記の表に示す。
0004279355.tif 000007
この結果は、4431PaのＧ′′25（100rad/sec）値で表される所定の局所用接着剤組成物について、該局所用接着剤層の厚さの値の増大が、局所用接着剤を皮膚から除去する際の痛み等級の低下に一致することを示す。
勿論、異なる製品に具備される局所用接着剤層の厚さ値は、異なる局所用接着剤組成物について、従ってＧ′′25（100rad/sec）が異なる値について、当業者が容易に決定できる限界内でにおいて許容可能な取り外し痛み等級を達成するために、本発明の経験式に従って変化させることができる。通常、前に定義した製品の分野では、この限界は10mmを越えるべきではない。当該製品を皮膚から除去する際の痛み等級を低減するために、一定の好ましい厚さを有する層で塗布すべき、異なったＧ′′25（100rad/sec）値を有する好ましい局所用接着剤組成物の可能な選択についても同じことが言える。局所用接着剤組成物におけるＧ′′25（100rad/sec）の可能な好ましい限界は、例えば、局所用接着剤組成物の好ましいレオロジー特性によって明確に定義される。